(57)【特許請求の範囲】
【請求項１】
複数の装着孔が併設された取付け具と、
前記装着孔に装着される光アダプタと、
前記取付け具に対して、前記光アダプタを揺動させることが可能な揺動機構と、
を具備し、
前記揺動機構は、任意の前記光アダプタに対して、所定以上の力が加わると、当該光アダプタの前記光アダプタが併設された方向への揺動を許容し、力が除荷されると、前記揺動機構における力の釣り合いにより、前記取付け具に対して略垂直な方向に前記光アダプタを保持することが可能であり、
併設する前記装着孔の間の距離は、揺動前後で一定であることを特徴とする光アダプタ保持構造。
【請求項２】
前記所定以上の力による、光アダプタの揺動開始モーメントが０．０２Ｎ・ｍ以上０．０５Ｎ・ｍ以下であることを特徴とする請求項１記載の光アダプタ保持構造。
【請求項３】
前記光アダプタは、前記光アダプタの併設方向に直交する両外面に突出する凸部を有し、前記揺動機構は、前記凸部の近傍を基準として前記光アダプタを揺動可能であることを特徴とする請求項１又は請求項２に記載の光アダプタ保持構造。
【請求項４】
前記光アダプタは、前記凸部のそれぞれの形成面側であって、前記凸部と離間した位置に弾性部材を有し、前記凸部と前記弾性部材とで前記装着孔の縁部を挟み込むことが可能であり、
前記光アダプタが前記装着孔に挿入された状態において、前記弾性部材は、前記取付け具の一方の面と接触し、それぞれの接触部において接触方向とは逆方向に前記弾性部材が反力を受け、前記弾性部材の両側が受ける反力の釣り合う位置で前記光アダプタが保持され、前記光アダプタが力を受けると、前記弾性部材が変形することで、前記光アダプタが揺動可能であることを特徴とする請求項３記載の光アダプタ保持構造。
【請求項５】
前記光アダプタは、前記凸部の形成面に直交する両面側に、一対の弾性部材を有し、
前記光アダプタが前記装着孔に挿入された状態において、前記弾性部材は、前記装着孔の縁部又は内面に接触し、それぞれの接触部において接触方向とは逆方向に前記弾性部材が反力を受け、両側の前記弾性部材が受ける反力の釣り合う位置で前記光アダプタを保持することが可能であり、前記光アダプタが力を受けると、前記弾性部材が変形することで、前記光アダプタが揺動可能であることを特徴とする請求項３記載の光アダプタ保持構造。
【請求項６】
前記取付け具の前記凸部が配置される側の面には、それぞれの前記凸部と対向する位置に弾性部材が配置され、
前記光アダプタが前記装着孔に挿入された状態において、前記凸部は、前記弾性部材と前記取付け具で挟まれた状態で前記弾性部材に接触し、それぞれの接触部において接触方向とは逆方向に前記凸部は反力を受け、前記弾性部材から前記凸部が受ける反力の釣り合う位置で前記光アダプタを保持することが可能であり、前記光アダプタが力を受けると、前記弾性部材が変形することで、前記光アダプタが揺動可能であることを特徴とする請求項３記載の光アダプタ保持構造。
【請求項７】
前記光アダプタは、前記凸部と離間した位置に係止片を有し、前記凸部と前記係止片との間に前記装着孔の縁部を配置可能であり、
前記取付け具の前記凸部が配置される側の面には、それぞれの前記凸部と対向する位置に弾性部材が配置され、
前記光アダプタが前記装着孔に挿入された状態において、前記弾性部材は、前記凸部と前記取付け具の間に配置され、前記凸部が前記弾性部材に接触し、それぞれの接触部において接触方向とは逆方向に前記弾性部材が反力を受け、前記弾性部材から前記凸部が受ける反力の釣り合う位置で前記光アダプタを保持することが可能であり、前記光アダプタが力を受けると、前記弾性部材が変形することで、前記光アダプタが揺動可能であることを特徴とする請求項３記載の光アダプタ保持構造。
【請求項８】
前記光アダプタは、前記凸部と離間した位置に係止片を有し、前記凸部と前記係止片との間に前記装着孔の縁部を配置可能であり、
前記取付け具には、前記光アダプタの併設方向に対して前記装着孔の対向する縁部近傍に弾性部材が配置され、
前記光アダプタが前記装着孔に挿入された状態において、前記弾性部材は、前記光アダプタの側面と接触し、それぞれの接触部において接触方向とは逆方向に前記光アダプタが反力を受け、前記弾性部材から前記光アダプタが受ける反力の釣り合う位置で前記光アダプタを保持することが可能であり、前記光アダプタが力を受けると、前記弾性部材が変形することで、前記光アダプタが揺動可能であることを特徴とする請求項３記載の光アダプタ保持構造。
【請求項９】
前記光アダプタと前記取付け具の少なくとも一方に硬磁性体が固定され、
前記光アダプタ又は前記取付け具の前記硬磁性体と対向する他方の部位は、前記硬磁性体と吸着可能な硬磁性体又は軟磁性体で構成され、
前記光アダプタが前記装着孔に挿入された状態において、前記硬磁性体の吸着力によって前記光アダプタを保持することが可能であり、前記光アダプタが前記硬磁性体による吸着力以上の力を受けると、前記硬磁性体が対向面から離れることで、前記光アダプタが揺動可能であることを特徴とする請求項３記載の光アダプタ保持構造。
【請求項１０】
前記光アダプタは、前記凸部と離間した位置に係止片を有し、前記凸部と前記係止片との間に前記装着孔の縁部を配置可能であり、
前記光アダプタと前記取付け具の互いに対向する部位に、同極同士が対向するように硬磁性体がそれぞれ固定され、
前記光アダプタが前記装着孔に挿入された状態において、前記硬磁性体同士の反発力が釣り合う位置で前記光アダプタを保持することが可能であり、前記光アダプタが力を受けると、前記硬磁性体同士の一部が近づくことで、前記光アダプタが揺動可能であることを特徴とする請求項３記載の光アダプタ保持構造。
【請求項１１】
前記光アダプタは、前記凸部と離間した位置に係止片を有し、前記凸部と前記係止片との間に前記装着孔の縁部を配置可能であり、
前記取付け具に硬磁性体が固定され、前記硬磁性体と対向する前記凸部が、前記硬磁性体と吸着可能な被着体で構成されることを特徴とする請求項９記載の光アダプタ保持構造。
【請求項１２】
前記被着体は、両端部が前記硬磁性体から離れる方向に折り曲げられていることを特徴とする請求項１１記載の光アダプタ保持構造。
【請求項１３】
取付け具の装着孔に装着可能な光アダプタであって、
光アダプタ本体の対向する両面において、軟磁性体と、前記軟磁性体と離間した位置に係止片が形成され、
前記軟磁性体の前記光アダプタ本体の対向面に直交する方向の両端部が、前記係止片から遠ざかる方向に向けて折り曲げられていることを特徴とする光アダプタ。
【請求項１４】
請求項１から請求項１２のいずれかに記載の光アダプタ保持構造に対する光コネクタの挿抜方法であって、
任意の前記光アダプタに対して、光コネクタを挿抜する際に、当該光アダプタに隣り合う他の光アダプタを、前記揺動機構によって前記光アダプタの併設方向に揺動させることで、当該光アダプタの周囲にスペースを形成し、挿抜作業を行った後には、前記揺動機構によって前記他の光アダプタを元の位置に戻し、
併設する前記装着孔の間の距離は、揺動前後で一定であることを特徴とする光コネクタの挿抜方法。
【請求項１５】
請求項１から請求項１２のいずれかに記載の光アダプタ保持構造に対して接続された光ケーブルの曲げ半径の確認方法であって、
前記揺動機構の揺動開始モーメントと、
前記光アダプタに接続された前記光ケーブルに対して力を加えた際の、前記光アダプタにかかるモーメントと前記光ケーブルの曲げ半径との関係をあらかじめ取得し、
全ての前記光アダプタが揺動しておらずに、通常状態を維持していることを確認することで、前記光アダプタにかかるモーメントが、前記揺動開始モーメント以下であることを確認し、前記光アダプタにかかるモーメントが所定以下であることから、前記光ケーブルの曲げ半径が所定以上であることを知ることを特徴とする光ケーブルの曲げ半径の確認方法。
【発明の詳細な説明】
【技術分野】
【０００１】
本発明は、光ファイバケーブルや光コード等の通信ケーブルの接続に用いられる光アダプタの保持構造等に関する。
【背景技術】
【０００２】
従来、光通信におけるトラフィックの急増により、敷設される光ファイバ心線数の増大が続いており、光ファイバケーブルや光コードの接続点に使用される光アダプタにおいても高密度実装をする必要が生じている。しかし、光アダプタを高密度に実装すると、隣り合う光アダプタ同士の間隔が狭くなるため、接続される光コネクタ同士の間隔も狭くなる。このため、光コネクタを光アダプタに対して挿抜する際において、隣り合う光コネクタとの間に指が入る空間が確保できなくなる。
【０００３】
そこで、光アダプタを高密度に実装しながらも、光コネクタの挿抜操作空間を確保するため、挿抜作業時に、まず、挿抜したい光コネクタが装着されるアダプタ又はアダプタ装着具を回動させ、挿抜操作空間を作り出す機構を有したアダプタ高密度実装方法が知られている（例えば特許文献１、２）。
【０００４】
図１９は、特許文献１にかかる光アダプタ保持構造を示す図である。特許文献１では、光アダプタ１００は、光アダプタ取付け具１０７に取り付けられる。また、複数の光アダプタ取付け具１０７が横一列（図の紙面に垂直な方向）に配列され、それぞれの光アダプタ取付け具１０７が、個々に独立回動するように支持棒１０１に対して取り付けられる。
【０００５】
任意の光アダプタ１００に対して光コネクタ１０５の挿抜作業を行う場合には、まず、挿抜対象となる光アダプタ１００及び光アダプタ取付け具１０７を、指の操作空間を確保可能な位置まで他の光アダプタの配列から外側へ外れる様に一方向へ回動させる（図中Ｘ方向）。その後、当該光アダプタ１００に、光コネクタ１０５の挿抜を行う。挿抜作業後にはスプリングコイル１０６により光アダプタ取付け具１０７が所定の位置（光アダプタの配列位置）へ戻る機構を有している。
【０００６】
図２０は、特許文献２にかかる光アダプタ保持構造を示す図である。特許文献２も、特許文献１と同様に、光アダプタ１００が個々に光アダプタ取付け具１０７に取付けられ、その光アダプタ取付け具１０７は、支持棒１０１に独立又は連動して回動可能に固定される。
【０００７】
ここで、特許文献２は、特許文献１とは光アダプタ１００の配列方向が異なり、複数の光アダプタ１００は、共有の回動面内に配列されている。任意の光アダプタ１００に対して光コネクタ１０５の挿抜作業を行う場合には、まず、挿抜したい光コネクタ１０５の光アダプタ取付け具を、隣り合う光クネクタとの間に指の操作空間ができる位置まで、当該光アダプタ取付け具１０７及びそれより手前にある光アダプタ１００を片方向に回動させる（図中矢印Ｙ方向）。その後に当該光コネクタ１０５の挿抜を行い、挿抜作業後には重力により光アダプタ取付け具１０７が所定の位置へ戻る機構を有している。
【先行技術文献】
【特許文献】
【０００８】
【特許文献１】実開平０２−０９８３１４号公報
【特許文献２】特開２００３−８６９６７号公報
【発明の概要】
【発明が解決しようとする課題】
【０００９】
しかし、特許文献１の方法は、挿抜作業時には、まず挿抜したい光コネクタ１０５の光アダプタ取付け具１０７を、指の操作空間を確保可能な位置まで光アダプタ配列位置から外側へ外れる様に一方向へ回動させておく必要がある。すなわち、光コネクタ１０５の挿抜作業以前に光アダプタ１００を回動させ、その状態を指等で押さえ、回動状態を保持しながら光コネクタ１０５の挿抜作業を行う必要があった。
【００１０】
また、光アダプタ１００の回動中心が、光アダプタ１００の近傍に配置され、回動方向が光軸方向であるため、指の操作空間を作り出すためには、光アダプタ１００の回動角度を大きくする必要がある。このため、光ファイバコードの移動量も大きくなり、光学的影響を伴う危険が有った。逆に光アダプタ１００の回動中心を、光アダプタ１００から遠くに配置すれば、回動角度を小さくすることはできるが、光アダプタ１００から回動中心距離が長くなることで、光アダプタユニットが大きくなり、小空間に多くの光アダプタ１００を実装したいという思想と矛盾したものになる。
【００１１】
また、特許文献２も、特許文献１と同様に、光コネクタ１０５の挿抜動作の前に、予め、挿抜したい光アダプタ１００の光アダプタ取付け具１０７を、指の操作空間を確保可能な位置まで回動させておく必要があるため、光コネクタ１０５の挿抜作業以前に回動作業を行い、その状態を指等で押さえ、回動状態を保持しながら光コネクタ１０５の挿抜作業を行う必要があった。
【００１２】
また、特許文献２は、複数の光アダプタ回動面を共有とした構造であるため、例えば一番下側の光アダプタ１００に光コネクタ１０５を挿抜したい場合には、他の全ての光アダプタ１００を回動させる必要が生じ、不必要に光アダプタ１００の回動動作が必要となる。
【００１３】
更に、特許文献２は、どの光アダプタ１００も回動中心が同一であり、一方のコネクタ側に配置されていることから、回動中心から遠い側の光コネクタ１０５の挿抜性は良いが、回動中心に近い側の光コネクタ１０５の挿抜性は向上しておらず、コネクタ挿抜性向上効果も限定的となる。また、光アダプタ１００から回動中心までの距離も長いことから、光アダプタ取付け具１０７は光アダプタ１００の段ごとに形状を変えた大型の物が必要となり、部材コストも高価となっている。
【００１４】
また、特許文献２では、初期の光アダプタ取付け具１０７の位置又は姿勢を保持する機構がないため、小さな力で触れても、光アダプタ取付け具１０７の回動が発生する。通常、光ファイバコードを配線した場合には、配線コード長が適正長さに対して短い場合や長い場合があり、光コネクタ１０５が無理なく自然な状態で光アダプタ取付け具１０７に正対して装着されないこともある。この様な場合には、光アダプタ取付け具１０７の通常状態をある程度保持する機構が無いと、光ファイバコードの配線状態により、光アダプタ取付け具１０７が簡単に回動してしまう可能性がある。
【００１５】
一方、特許文献１では、スプリングコイル１０６が設けられ、当該スプリングコイル１０６によって、回動した光アダプタ取付け具１０７を所定の位置に戻すことは可能であるが、通常状態の姿勢を保持しつつ、光ファイバコードや光コネクタ１０５に無理な力が作用した場合のみに光アダプタ１００を回動させて、光学的影響を軽減することはできない。
【００１６】
本発明は、このような問題に鑑みてなされたもので、小型であって作業性にも優れた光アダプタ保持構造等を提供することを目的とする。
【課題を解決するための手段】
【００１７】
前述した目的を達成するために、第１の発明は、複数の装着孔が併設された取付け具と、前記装着孔に装着される光アダプタと、前記取付け具に対して、前記光アダプタを揺動させることが可能な揺動機構と、を具備し、前記揺動機構は、任意の前記光アダプタに対して、所定以上の力が加わると、当該光アダプタの前記光アダプタが併設された方向への揺動を許容し、力が除荷されると、前記揺動機構における力の釣り合いにより、前記取付け具に対して略垂直な方向に前記光アダプタを保持することが可能であり、併設する前記装着孔の間の距離は、揺動前後で一定であることを特徴とする光アダプタ保持構造である。
【００１８】
前記所定以上の力による、光アダプタの揺動開始モーメントが０．０２Ｎ・ｍ以上０．０５Ｎ・ｍ以下であることが望ましい。
【００１９】
前記光アダプタは、前記光アダプタの併設方向に直交する両外面側に突出する凸部を有し、前記揺動機構は、前記凸部の近傍を基準として前記光アダプタを揺動可能であってもよい。
【００２０】
前記光アダプタは、前記凸部のそれぞれの形成面側であって、前記凸部と離間した位置に弾性部材を有し、前記凸部と前記弾性部材とで前記装着孔の縁部を挟み込むことが可能であり、前記光アダプタが前記装着孔に挿入された状態において、前記弾性部材は、前記取付け具の一方の面と接触し、それぞれの接触部において接触方向とは逆方向に前記弾性部材が反力を受け、前記弾性部材の両側が受ける反力の釣り合う位置で前記光アダプタが保持され、前記光アダプタが力を受けると、前記弾性部材が変形することで、前記光アダプタが揺動可能であってもよい。
【００２１】
前記光アダプタは、前記凸部の形成面に直交する両面側に、一対の弾性部材を有し、前記光アダプタが前記装着孔に挿入された状態において、前記弾性部材は、前記装着孔の縁部又は内面に接触し、それぞれの接触部において接触方向とは逆方向に前記弾性部材が反力を受け、両側の前記弾性部材が受ける反力の釣り合う位置で前記光アダプタを保持することが可能であり、前記光アダプタが力を受けると、前記弾性部材が変形することで、前記光アダプタが揺動可能であってもよい。
【００２２】
前記取付け具の前記凸部が配置される側の面には、それぞれの前記凸部と対向する位置に弾性部材が配置され、前記光アダプタが前記装着孔に挿入された状態において、前記凸部は、前記弾性部材と前記取付け具で挟まれた状態で前記弾性部材に接触し、それぞれの接触部において接触方向とは逆方向に前記凸部は反力を受け、前記弾性部材から前記凸部が受ける反力の釣り合う位置で前記光アダプタを保持することが可能であり、前記光アダプタが力を受けると、前記弾性部材が変形することで、前記光アダプタが揺動可能であってもよい。
【００２３】
前記光アダプタは、前記凸部と離間した位置に係止片を有し、前記凸部と前記係止片との間に前記装着孔の縁部を配置可能であり、前記取付け具の前記凸部が配置される側の面には、それぞれの前記凸部と対向する位置に弾性部材が配置され、前記光アダプタが前記装着孔に挿入された状態において、前記弾性部材は、前記凸部と前記取付け具の間に配置され、前記凸部が前記弾性部材に接触し、それぞれの接触部において接触方向とは逆方向に前記弾性部材が反力を受け、前記弾性部材から前記凸部が受ける反力の釣り合う位置で前記光アダプタを保持することが可能であり、前記光アダプタが力を受けると、前記弾性部材が変形することで、前記光アダプタが揺動可能であってもよい。
【００２４】
前記光アダプタは、前記凸部と離間した位置に係止片を有し、前記凸部と前記係止片との間に前記装着孔の縁部を配置可能であり、前記取付け具には、前記光アダプタの併設方向に対して前記装着孔の対向する縁部近傍に弾性部材が配置され、前記光アダプタが前記装着孔に挿入された状態において、前記弾性部材は、前記光アダプタの側面と接触し、それぞれの接触部において接触方向とは逆方向に前記光アダプタが反力を受け、前記弾性部材から前記光アダプタが受ける反力の釣り合う位置で前記光アダプタを保持することが可能であり、前記光アダプタが力を受けると、前記弾性部材が変形することで、前記光アダプタが揺動可能であってもよい。
【００２５】
前記光アダプタと前記取付け具の少なくとも一方に硬磁性体が固定され、前記光アダプタ又は前記取付け具の前記硬磁性体と対向する他方の部位は、前記硬磁性体と吸着可能な硬磁性体又は軟磁性体で構成され、前記光アダプタが前記装着孔に挿入された状態において、前記硬磁性体の吸着力によって前記光アダプタを保持することが可能であり、前記光アダプタが前記硬磁性体による吸着力以上の力を受けると、前記硬磁性体が対向面から離れることで、前記光アダプタが揺動可能であってもよい。
【００２６】
前記光アダプタは、前記凸部と離間した位置に係止片を有し、前記凸部と前記係止片との間に前記装着孔の縁部を配置可能であり、前記光アダプタと前記取付け具の互いに対向する部位に、同極同士が対向するように硬磁性体がそれぞれ固定され、前記光アダプタが前記装着孔に挿入された状態において、前記硬磁性体同士の反発力が釣り合う位置で前記光アダプタを保持することが可能であり、前記光アダプタが力を受けると、前記硬磁性体同士の一部が近づくことで、前記光アダプタが揺動可能であってもよい。
【００２７】
前記光アダプタは、前記凸部と離間した位置に係止片を有し、前記凸部と前記係止片との間に前記装着孔の縁部を配置可能であり、前記凸部が、軟磁性体で構成され、前記軟磁性体と対向する前記取付け具に硬磁性体が固定されてもよい。
【００２８】
前記軟磁性体は、両端部が前記硬磁性体から離れる方向に折り曲げられていてもよい。
【００２９】
第１の発明によれば、任意の光コネクタの挿抜を行う際に、隣り合う光アダプタとの隙間に指を挿入すると、光アダプタが高密度に配列されているため、隣り合う光アダプタや光コネクタにも指が触れ、隣り合う光コネクタは、コネクタの挿抜方向に対して横方向の力を受けることになる。この際、隣り合う光接続部材に所定以上の力が加わることで、当該光接続部材が揺動し、指の操作空間を作り出すことができ、力がなくなると元の位置に戻る。このように、挿抜対象となる光接続部材を揺動させるのではなく、隣り合う光接続部材を揺動可能にすることで、挿抜対象の光接続部材を回動させる動作や、元の位置に戻す動作が不要となり、作業性が良好となる。
【００３０】
特に、揺動機構が、任意の光アダプタに対して、光アダプタの併設方向へ所定以上の力が加わると、当該光アダプタの当該方向への揺動を許容するようにすることで、光コネクタの挿抜時に、隣り合う光コネクタを対象となる光コネクタから離れる方向に確実に揺動させることができるため、作業が容易である。
【００３１】
また、光アダプタの併設方向に直交する両外面側に突出する凸部を設け、凸部の近傍を基準として光アダプタを揺動可能とすることで、光アダプタの揺動中心を光アダプタの幅方向中央部付近とすることができ、揺動による光ファイバコードの移動量を少なくすることができる。また、揺動中心が取付け具近傍となるため、取付け具の表裏における光コネクタの挿抜作業性の差を最小化することができる。
【００３２】
また、凸部と離間した位置に弾性部材を配置し、凸部と弾性部材とで装着孔の縁部を挟み込むようにすることで、光軸を対称に幅方向に均等な反発力が働くようにすることができるため、取付け具に対して光アダプタを垂直な姿勢で保持することができる。また、光アダプタの光軸に直交する方向に力が作用すると、光アダプタが傾斜し、一方の弾性部材の撓みが大きくなるが、力を除去すると通常の垂直な姿勢に戻すことができる。また、光アダプタの揺動中心を、凸部近傍とするため、光アダプタを揺動させるための回転軸等の部品が不要であり、小型且つ安価に光アダプタを揺動させることができる。
【００３３】
このような効果は、光アダプタが、凸部の形成面に直交する両面側に、一対の弾性部材を設け、光アダプタが装着孔に挿入された状態において、弾性部材を装着孔の縁部又は内面に接触させても同様に得ることができる。
【００３４】
また、取付け具の凸部が配置される側の面に、それぞれの凸部と対向する位置に弾性部材を配置して、光アダプタが装着孔に挿入された状態において、凸部が弾性部材と取付け具で挟まれた状態としても、同様の効果を得ることができる。
【００３５】
さらに、取付け具の凸部が配置される側の面に、それぞれの凸部と対向する位置に弾性部材を配置し、光アダプタが装着孔に挿入された状態において、弾性部材を凸部と取付け具の間に配置するようにしても、同様の効果を得ることができる。この場合、凸部と離間した位置に係止片を形成することで、光アダプタの取付け具からの抜けを防止することができる。
【００３６】
さらに、取付け具に、光アダプタの併設方向に対して装着孔の対向する縁部近傍に弾性部材を配置して、光アダプタが装着孔に挿入された状態において、弾性部材を光アダプタの側面と接触させても、同様の効果を得ることができる。この場合も、凸部と離間した位置に係止片を形成することで、光アダプタの取付け具からの抜けを防止することができる。
【００３７】
また、光アダプタと取付け具の少なくとも一方に硬磁性体を固定し、光アダプタと取付け具の硬磁性体と対向する他方の部位を、硬磁性体と吸着可能な硬磁性体又は軟磁性体で構成し、光アダプタが装着孔に挿入された状態において、硬磁性体の吸着力によって光アダプタを保持するようにしても、同様の効果を得ることができる。
【００３８】
また、光アダプタと取付け具の互いに対向する部位に、同極同士が対向するように硬磁性体をそれぞれ固定し、光アダプタが装着孔に挿入された状態において、硬磁性体同士の反発力が釣り合う位置で光アダプタを保持するようにしても、同様の効果を得ることができる。
【００３９】
また、光アダプタは、凸部を軟磁性体で構成し、軟磁性体と対向する取付け具に硬磁性体を固定しても、同様の効果を得ることができる。また、それぞれの光アダプタごとに硬磁性体を固定する必要がなく、製造が容易である。
【００４０】
また、軟磁性体の両端部を硬磁性体から離れる方向に折り曲げること、揺動を開始するための力と、硬磁性体と軟磁性体との吸着力とのバランスを適正にすることができる。
【００４１】
第２の発明は、取付け具の装着孔に装着可能な光アダプタであって、光アダプタ本体の対向する両面において、軟磁性体と、前記軟磁性体と離間した位置に係止片が形成され、前記軟磁性体の前記光アダプタ本体の対向面に直交する方向の両端部が、前記係止片から遠ざかる方向に向けて折り曲げられていることを特徴とする光アダプタである。
【００４２】
第２の発明によれば、第１の発明と同様の効果を得ることができる。
【００４３】
第３の発明は、第１の発明にかかる光アダプタ保持構造に対する光コネクタの挿抜方法であって、任意の前記光アダプタに対して、光コネクタを挿抜する際に、当該光アダプタに隣り合う他の光アダプタを、前記揺動機構によって前記光アダプタの併設方向に揺動させることで、当該光アダプタの周囲にスペースを形成し、挿抜作業を行った後には、前記揺動機構によって前記他の光アダプタを元の位置に戻し、併設する前記装着孔の間の距離は、揺動前後で一定であることを特徴とする光コネクタの挿抜方法である。
【００４４】
第３の発明によれば、作業性が良好であり、容易にコネクタの挿抜作業を行うことができる。
【００４５】
第４の発明は、第１の発明にかかる光アダプタ保持構造に対して接続された光ケーブルの曲げ半径の確認方法であって、前記揺動機構の揺動開始モーメントと、前記光アダプタに接続された前記光ケーブルに対して力を加えた際の、前記光アダプタにかかるモーメントと前記光ケーブルの曲げ半径との関係をあらかじめ取得し、全ての前記光アダプタが揺動しておらずに、通常状態を維持していることを確認することで、前記光アダプタにかかるモーメントが、前記揺動開始モーメント以下であることを確認し、前記光アダプタにかかるモーメントが所定以下であることから、前記光ケーブルの曲げ半径が所定以上であることを知ることを特徴とする光ケーブルの曲げ半径の確認方法である。
【００４６】
第４の発明によれば、容易に、光コネクタに接続される光ケーブルの曲げ半径について、所定以上の曲げ半径となっていないかを確認することができる。
【発明の効果】
【００４７】
本発明によれば、小型であって作業性にも優れた光アダプタ保持構造等を提供することができる。
【図面の簡単な説明】
【００４８】
【図１】光パッチパネル３を示す図。
【図２】ラック１を示す図。
【図３】取付け具７に光アダプタ１０等が取り付けられた状態を示す図で、（ａ）は正面図、（ｂ）は側面図（（ａ）のＡ矢視図）、（ｃ）は平面図（（ａ）のＢ矢視図）。
【図４】光アダプタ１０の動作を示す図。
【図５】弾性部材４０を用いた光アダプタ１０が取付け具７に取り付けられた状態を示す図で、（ａ）は正面図、（ｂ）は側面図（（ａ）のＡ矢視図）、（ｃ）は平面図（（ａ）のＢ矢視図）。
【図６】弾性部材４０を用いた光アダプタ１０の動作を示す図。
【図７】光アダプタ１０ａを示す図。
【図８】光アダプタ１０ｂを示す図。
【図９】光アダプタ１０ｃを示す図。
【図１０】光アダプタ１０ｄを示す図。
【図１１】光アダプタ１０ｅを示す図。
【図１２】光アダプタ１０ｆを示す図。
【図１３】光アダプタ１０ｇを示す図。
【図１４】光アダプタ１０ｈを示す図。
【図１５】被着体の各部寸法を示す図。
【図１６】被着体の折り曲げ位置による光アダプタと取付け具との吸着力及び光アダプタの傾斜に必要となるモーメントの関係を示す図。
【図１７】コネクタ近傍のコード曲率半径と光アダプタの傾斜に必要となるモーメントの関係を示す図。
【図１８】他の光アダプタ固定構造を示す図。
【図１９】従来の光アダプタ固定構造を示す図。
【図２０】他の従来の光アダプタ固定構造を示す図。
【発明を実施するための形態】
【００４９】
（第１実施形態）
以下、図面に基づいて、本発明の実施の形態について詳細に説明する。図１は、本発明の一実施例である光パッチパネル３を示す図であり、図２は、ラック１を示す図である。ラック１は、例えば１９インチラックであり、光パッチパネル３は、ラック１へ実装され、光パッチパネル３のマウント部４が、ラック１のフレーム２にねじ等によって固定される。
【００５０】
光パッチパネル３の背面側より、外線ケーブル２０が導入され、光パッチパネル３の後方に設けられた外線ケーブル固定部５において、外線ケーブル２０が光パッチパネル３へ固定される。外線ケーブル２０は光パッチパネル３内においてケーブルシース２１が除去され、内部の光ファイバ心線２２は、光ファイバ接続トレイ６まで配線される。光ファイバ心線２２と、ＳＣ、ＬＣ又はＭＰＯ等（以下、単に「ＳＣ等」とする）の光コネクタ付き変換コード２４とが融着等で接続される。光ファイバ接続トレイ６内において、それらの接続部は、光ファイバ心線２２とＳＣ等の光コネクタ付き変換コード２４の余長と共に収納される。
【００５１】
光パッチパネル３の前方には、ＳＣ等の光アダプタ１０を装着可能な、板状の取付け具７が設けられる。取付け具７のさらに前方には、コード受けトレイ８が設けられる。コード受けトレイ８は、光コネクタ付き局内コード２５を下側より受けることが可能である。
【００５２】
取付け具７には、複数の光アダプタ１０が装着され、光アダプタ１０には、後方からは外線側光コネクタ２７が挿入され、前方からは光コネクタ付き局内コード２５の局内側光コネクタ２８が挿入される。局内側光コネクタ２８を挿入する光アダプタ１０を任意に変えることにより、接続対象となる外線ケーブル２０を切り替えすることが可能である。
【００５３】
なお、光パッチパネル３の構造は、図示した例には限られない。例えば、光パッチパネル３の背面側から導入されるケーブルとして、光コネクタが付いていない外線ケーブル２０を示したが、これは一例であって、光コネクタ付きコードまたは光コネクタ付きケーブルを導入しても良い。その場合には光ファイバ接続トレイ６を不要とした光パッチパネルの構造となる。
【００５４】
次に、本発明にかかる光アダプタに共通する、光アダプタ等の動作について説明する。図３は、取付け具７に光アダプタ１０等が取り付けられた状態を示す図で、図３（ａ）は正面図、図３（ｂ）は側面図（図３（ａ）のＡ矢視図）、図３（ｃ）は平面図（図３（ａ）のＢ矢視図）である。
【００５５】
取付け具７には、略矩形の複数の装着孔９が併設される。それぞれの装着孔９には、光アダプタ１０が装着される。なお、簡単のため、３つの光アダプタ１０のみが装着孔９に装着された状態を図示する。前述したように、それぞれの隣り合う光アダプタ１０同士は、極めて近接して配置される。また、本実施形態では、取付け具７に対して、光アダプタ１０を揺動させることが可能な揺動機構を有するが、揺動機構については詳細を後述し、図３においては図示を省略する。
【００５６】
光アダプタ１０は、光軸方向に垂直な断面が略矩形であり、光アダプタ１０の上下面（光アダプタ１０の併設方向に直交する両外面であって、図３（ａ）の上下方向）には、それぞれ凸部１２が突出する。凸部１２を含めた光アダプタ１０の全高は、装着孔９の高さよりも高いため、装着孔９に光アダプタ１０を挿入すると、凸部１２付近まで光アダプタ１０は挿入される。一方、光アダプタ１０の幅（光アダプタ１０の併設方向を幅方向とする）に対して、装着孔９の幅は十分に大きい。このため、光アダプタ１０と装着孔９の両縁部との間にはそれぞれ所定のクリアランスが形成される。なお、クリアランスは、後述する光アダプタ１０の揺動可能範囲に応じて設定される。
【００５７】
次に、光アダプタ保持構造に対する光コネクタの挿抜方法について説明する。図４は、光アダプタ１０の動作を示す図である。まず、図４（ａ）に示すように、図中中央の光アダプタ１０へ、局内側光コネクタ２８を接続する際には、局内側光コネクタ２８を、対象となる光アダプタ１０の方向へまっすぐに移動させる（図中矢印Ｃ方向）。この際、隣り合う局内側光コネクタ２８や光アダプタ１０との間隔が狭いため、指が隣り合う局内側光コネクタ２８や光アダプタ１０と接触する。
【００５８】
この際、光アダプタ１０と取付け具７との取付け部には、後述する揺動機構が設けられるため、指が触れた局内側光コネクタ２８や光アダプタ１０は、光アダプタ１０の併設方向に対して揺動する（図中矢印Ｄ方向）。すなわち、任意の光アダプタ１０に対して、光コネクタを挿抜する際に、当該光アダプタ１０に隣り合う他の光アダプタ１０を、後述する揺動機構によって、光アダプタ１０の併設方向に揺動させることで、当該光アダプタ１０の周囲にスペースを形成することができる。このように、対象となる光アダプタ１０の周囲に作業スペースが確保され、図４（ｂ）に示すように、局内側光コネクタ２８を光アダプタ１０に挿入することができる。
【００５９】
この後、局内側光コネクタ２８同士の隙間から指を抜き取ると、元の状態（図３（ｃ））に戻る。すなわち、挿抜作業を行った後には、揺動機構によって隣り合う他の光アダプタ１０を元の位置に戻すことができる。このように、揺動機構は、任意の光アダプタ１０に対して、所定以上の力が加わると、当該光アダプタ１０の当該方向への揺動を許容し、力が除荷されると、取付け具７に対して略垂直な方向に光アダプタ１０を保持することを可能とするものである。
【００６０】
なお、局内側光コネクタ２８を光アダプタ１０から抜き取る際にも同様である。また、局内側光コネクタ２８の挿抜作業の際には、他方の外線側光コネクタ２７同士が近づく方向に揺動するが、外線側光コネクタ２７の挿抜作業時には、外線側光コネクタ２７同士の間隔が広がり、局内側光コネクタ２８同士の間隔が狭くなるように光アダプタ１０が揺動する。
【００６１】
このように、本発明の揺動機構は、挿抜対象となる光アダプタ１０を揺動させるのではなく、その隣り合う光アダプタ１０を揺動させるものであり、光コネクタの挿抜作業の際には、揺動状態を手で保持しておく必要がない。すなわち、作業の際に触れる指によって、光アダプタ１０は必要量だけ揺動し、作業を終えると、光アダプタ１０は自然に元の状態に戻る。
【００６２】
ここで、光アダプタ１０の揺動角度としては、±２０度程度以下とすることが望ましい。これより大きな揺動角度とした場合には、光アダプタ１０の揺動時に、隣接する光コネクタ付き変換コード２４又は光コネクタ付き局内コード２５同士が干渉し、光学的影響を及ぼす可能性がある。このため、装着孔９の幅は、光アダプタ１０の揺動角度が上記範囲となるように設定される。すなわち、光アダプタ１０の幅に対して、装着孔９の幅を所定以上大きくすることで、光アダプタ１０の揺動を許容し、装着孔９の幅を所定以上小さくすることで、光アダプタ１０の揺動角度を±２０度以下に規制することができる。
【００６３】
なお、一般的に、ＬＣ等の光アダプタ１０は、光軸方向に対し長方形断面を有しており、短辺と長辺とが存在する。この際、揺動方向と短辺が平行となるように（すなわち、長辺側に揺動可能となるように）光アダプタ１０を取付け具７に配置した方が、光アダプタ１０の揺動時の移動量を少なくすることができるため望ましい。この時、光アダプタ１０は、単芯型、複数芯型のいずれであっても良い。
【００６４】
次に、揺動機構について詳細に説明する。図５は、弾性部材４０を用いた揺動機構を有する光アダプタ保持構造を示す図であり、図５（ａ）は正面図、図５（ｂ）は側面図（図５（ａ）のＡ矢視図）、図５（ｃ）は平面図（図５（ａ）のＢ矢視図）である。また、図６（ａ）は、揺動機構近傍の拡大図である。
【００６５】
本実施形態の揺動機構は、任意の光アダプタ１０に対して、光アダプタの併設方向へ所定以上の力が加わると、当該光アダプタの当該方向への揺動を許容することが可能である。この際、凸部１２は、光アダプタ１０の揺動方向に直交する向きに設けられる。すなわち、揺動機構は、前述した凸部１２の近傍を基準として光アダプタ１０を揺動可能である。
【００６６】
光アダプタ１０は、凸部１２のそれぞれの形成面側であって、凸部１２と離間した位置に弾性部材４０を有する。弾性部材４０は、例えば金属製の板バネからなる。光アダプタ１０の上下面の弾性部材４０は、例えば一体で構成される。この際、略コの字状の弾性部材４０を、光アダプタ本体の上面、下面及び両者をつなぐ一方の側面に設けられた抜け止め用アタッチメント装着凹部に篏合するように取り付けることで、弾性部材４０が光アダプタ１０に固定される。なお、弾性部材４０の固定方法は特に限定されない。
【００６７】
図５（ｂ）、図５（ｃ）に示すように、凸部１２と弾性部材４０とで取付け具７（装着孔９の縁部）を挟み込むことで、光アダプタ１０が取付け具７に取り付けられる。ここで、それぞれの弾性部材４０には、光アダプタ１０の幅方向に張り出すように、それぞれ左右対称のウィング部４１ａ、４１ｂ（ウィング部４１ａ、４１ｂを合わせてウィング部４１とする場合がある）が設けられる。ウィング部４１は、対向する凸部１２の方向（取付け具７の方向）に向けて、徐々に互いの幅が広くなるように形成される。光アダプタ１０が装着孔９に挿入された状態においては、弾性部材４０（ウィング部４１）の端部は、取付け具７の一方の面と接触する。
【００６８】
なお、光アダプタ１０を取付け具７に取り付ける際には、まず、弾性部材４０を装着していない状態の光アダプタ１０を、取付け具７の一方の側から、凸部１２が取付け具７に突き当たるまで装着孔９に挿入する。次に、取付け具７の他方の側から、ウィング部４１ａ及び４１ｂを撓ませながら光アダプタ１０へ弾性部材４０を取り付ける。以上により、光アダプタ１０を取付け具７に取り付けることができる。
【００６９】
なお、図６（ａ）に示す状態（すなわち、外力がかかっていない状態であって、以下、「通常状態」とする。）では、ウィング部４１ａ、４１ｂは均等に撓んでいる。このため、光アダプタ１０は、取付け具７に対し垂直な姿勢を維持することができる。すなわち、弾性部材４０と取付け具７との接触部において、接触方向とは逆方向に弾性部材４０が反力を受け、弾性部材４０の両側（ウィング部４１ａ、４１ｂ）が受ける反力の釣り合う位置で光アダプタ１０が保持される。
【００７０】
この状態から、光アダプタ１０が、光アダプタ１０の併設方向に対して力を受けると、弾性部材４０（ウィング部４１ａ、４１ｂ）が変形することで、光アダプタ１０が揺動する。図６（ｂ）は、光アダプタ１０が揺動した状態を示す図あり、図６（ｃ）は、この状態における揺動機構近傍の拡大図である。外線側光コネクタ２７又は局内側光コネクタ２８が、光軸に直交する外力を受けた場合には、光アダプタ１０が凸部１２の端部を中心に傾斜する。この際、傾斜中心から遠い側のウィング部４１（図では、ウィング部４１ｂ）は、取付け具７に接近し、通常状態時よりも、ウィング部４１の撓みが更に大きくなることで反発力が高まる。すなわち、光アダプタ１０は、この弾性部材４０による反発力よりも大きな力が付与されると揺動を開始する。
【００７１】
この状態から、外力を取り除くと、ウィング部４１ａ、４１ｂの反発力が均衡にある光アダプタ１０の通常状態に戻る。すなわち、外力がなくなると、光アダプタ１０は、取付け具７に対して垂直姿勢に戻る。
【００７２】
以上、第１の実施形態によれば、光アダプタ１０に対して、光アダプタ１０の併設方向に外力が付与された際に、弾性部材４０（ウィング部４１）の弾性変形によって、光アダプタ１０の揺動を許容することができる。この際、挿抜対象の光アダプタ１０を、所望の方向に回動させておく作業が不要であり、コネクタ挿抜時にも、接続対象となる光アダプタ１０の揺動状態を押さえておく必要もない。また、外力がなくなると、両ウィング部４１ａ、４１ｂの釣り合う位置で、光アダプタ１０を取付け具７に対して略垂直な姿勢に戻すことができる。このため、小型であって作業性にも優れた光アダプタ保持構造等を得ることができる。
【００７３】
（第２実施形態）
次に、第２の実施形態について説明する。図７は、第２の実施形態の光アダプタ１０ａを示す図である。なお、以下の説明において、第１の実施形態と同様の機能を奏する構成については、図１〜図６と同一の符号を付す。また、各実施形態に対しては、重複する説明を省略する。
【００７４】
光アダプタ１０ａは、光アダプタ１０と略同様の構成であるが、揺動機構として弾性部材４０ａが用いられる点で異なる。光アダプタ１０ａにおいて、金属製板バネからなる弾性部材４０ａは、左右対称に２分割されており、例えば、光アダプタ１０ａの上面及び下面に設けられた抜け止め用アタッチメント装着凹部へ篏合することで、弾性部材４０ａが光アダプタ１０ａへ固定される。
【００７５】
それぞれの弾性部材４０ａは、光アダプタ１０ａの幅方向の側面において、ウィング部４１を有する。すなわち、光アダプタ１０ａは、凸部１２の形成面に直交する両面側に、一対の弾性部材４０ａ（ウィング部４１）を有する。光アダプタ１０ａの両側面におけるウィング部４１は、後方（光アダプタ１０ａを取付け具７へ取り付ける方向とは逆側）に向かうにつれて、徐々に幅が広くなるように形成される。
【００７６】
光アダプタ１０ａの上下面には、凸部１２の方向に向けて、凸部１２から離間した位置に係止片４２が形成される。係止片４２は、光アダプタ１０ａを装着孔９に装着する際には、装着孔９の縁部によって押さえられて変形する。さらに、凸部１２が取付け具７に接触するまで光アダプタ１０ａを取付け具７（装着孔９）に押し込むと、係止片４２の先端が取付け具７を完全に通過して、変形が元に戻る。すなわち、係止片４２が光アダプタ１０ａの上下に広がる。
【００７７】
ここで、光アダプタ１０ａの上下面における、凸部１２同士の全高と、係止片４２の先端部同士の全高は、装着孔９の高さよりも大きいため、凸部１２と係止片４２とで取付け具７（装着孔９の縁部）を挟み込み、光アダプタ１０ａを取付け具７に取り付けることができる。すなわち、係止片４２が取付け具７の装着孔９を通過することで、光アダプタ１０ａが取付け具７からの脱落防止となり、光アダプタ保持構造を得ることができる。
【００７８】
光アダプタ１０ａが装着孔９に挿入された状態において、光アダプタ１０ａの両側の弾性部材４０ａ（ウィング部４１）は、装着孔９の縁部又は内面に接触する。弾性部材４０ａ（ウィング部４１）と取付け具７との接触部においては、接触方向とは逆方向に弾性部材４０ａ（ウィング部４１）が反力を受ける。この際、通常状態では、両側の弾性部材４０ａ（ウィング部４１）が受ける反力の釣り合う位置で光アダプタ１０ａを保持することが可能である。すなわち、この場合、両側の弾性部材４０ａ（ウィング部４１）の撓みによる反発力が均衡していることから、光アダプタ１０ａは、取付け具７に対して、略垂直な姿勢を維持することができる。
【００７９】
また、光アダプタ１０ａが、光アダプタ１０ａの併設方向に外力を受けると、弾性部材４０ａ（ウィング部４１）が変形することで、光アダプタ１０ａが揺動可能である。より詳細には、光アダプタ１０ａが揺動する方向に外力を受けた場合には、凸部１２の端部を中心に傾斜し、傾斜中心から近い側のウィング部の撓みが大きくなることで反発力が高まる。また、外力を取り除くとウィング部４１の反発力が均衡にある通常状態（光アダプタ１０ａの垂直姿勢）へ戻すことができる。
【００８０】
なお、凸部１２と係止片４２の先端部との間隔は、取付け具７の厚み以上である。すなわち、凸部１２又は係止片４２と、取付け具７との間にはクリアランスが確保される。このようにすることで、光アダプタ１０ａが揺動する際に、係止片４２が揺動の妨げとなることがない。
【００８１】
第２の実施形態によれば、第１の実施形態と同様の効果を得ることができる。また、光アダプタ１０ａは、変形可能な係止片４２を有するため、弾性部材４０ａが取り付けられた光アダプタ１０ａを装着孔９に挿入するだけで、光アダプタ１０ａを取付け具７に取り付けることができる。
【００８２】
（第３の実施形態）
次に、第３の実施形態について説明する。図８は、第３の実施形態の光アダプタ１０ｂを示す図である。光アダプタ１０ｂは、光アダプタ１０と略同様の構成であるが、揺動機構として弾性部材４０ｂが用いられる点で異なる。取付け具７に光アダプタ１０ｂを取り付けた状態において、取付け具７の凸部１２が配置される側の面には、光アダプタ１０の上下のそれぞれの凸部１２と対向する位置に、金属製板バネからなる弾性部材４０ｂが配置される。弾性部材４０ｂは、取付け具７に対して、例えばネジ等により固定される。
【００８３】
上下のそれぞれの弾性部材４０ｂは、互いに近づく方向にいくにつれて、取付け具７から離れるように形成される。なお、それぞれの弾性部材４０ｂには、一対のウィング部４１ａ、４１ｂが形成され、光アダプタ１０ｂの幅方向に離間して配置される。すなわち、ウィング部４１ａ、４１ｂは凸部１２の中心を対称に左右均等の形状となっている。光アダプタ１０ｂが装着孔９に挿入された状態において、凸部１２は、弾性部材４０ｂ（ウィング部４１ａ、４１ｂ）と取付け具７で挟まれた状態で弾性部材４０ｂに接触する。
【００８４】
なお、光アダプタ１０ｂを用いた光アダプタ保持構造は、以下のように得ることができる。まず、弾性部材４０ｂを取り付ける前の状態で、光アダプタ１０ｂの本体を凸部１２が取付け具７に突き当たるまで装着孔９に挿入する。その後に、弾性部材４０ｂで、凸部１２を取付け具７へ押さえつけるように、弾性部材４０ｂを取付け具７へ取り付ける。弾性部材４０ｂによって、光アダプタ１０ｂは、取付け具７方向に押さえつけられるため、弾性部材４０ｂは、光アダプタ１０ｂの抜け止めとしても機能する。以上により、光アダプタ保持構造を得ることができる。
【００８５】
光アダプタ１０ｂが装着孔９に挿入された状態においては、弾性部材４０ｂと凸部１２との接触部において、接触方向とは逆方向に凸部１２は反力を受ける。弾性部材４０ｂ（ウィング部４１ａ、４１ｂ）から凸部１２が受けるそれぞれの反力が釣り合う位置で、光アダプタ１０ｂを保持することが可能である。すなわち、凸部１２はウィング部４１ａ、４１ｂにより、取付け具７側に押し付けられているため光アダプタ１０ｂは取付け具７に対し略垂直な姿勢を維持することができる。
【００８６】
また、光アダプタ１０ｂが、光アダプタ１０ｂの併設方向に外力を受けると、弾性部材４０ｂ（ウィング部４１ａ、４１ｂ）が変形することで、光アダプタ１０ｂが揺動可能である。より詳細には、光アダプタ１０ｂが揺動する方向に外力を受けた場合には、凸部１２の端部を中心に傾斜し、傾斜中心から遠い側のウィング部４１の撓みが大きくなることで反発力が高まる。また、外力を取り除くとウィング部４１の反発力が均衡にある通常状態（光アダプタ１０ｂの垂直姿勢）へ戻ることができる。
【００８７】
第３の実施形態によれば、第１の実施形態と同様の効果を得ることができる。また、光アダプタ１０ｂには、弾性部材等を取り付ける必要がないため、従来使用されてきた光アダプタをそのまま使用することができる。
【００８８】
（第４の実施形態）
次に、第４の実施形態について説明する。図９は、第４の実施形態の光アダプタ１０ｃを示す図である。光アダプタ１０ｃは、光アダプタ１０ｂと略同様の構成であるが、揺動機構として弾性部材４０ｃが用いられる点で異なる。弾性部材４０ｃは、前述した弾性部材４０ｂと同様の構造であるが、光アダプタ１０ｃが挿入される前に、予め取付け具７にねじ等で固定される。すなわち、取付け具７に対して、光アダプタ１０ｃの凸部１２が配置される側の面には、それぞれの光アダプタ１０ｃの上下のそれぞれの凸部１２と対向する位置に弾性部材４０ｃが配置される。
【００８９】
また、光アダプタ１０ｃの上下面には、凸部１２の方向に向けて、凸部１２から離間した位置に係止片４２が形成される。なお、係止片４２は、光アダプタ１０ａにおけるものと同じ構成である。すなわち、係止片４２が取り付けられた光アダプタ１０ｃを装着孔９に挿入するだけで、凸部１２と係止片４２との間に装着孔９の縁部が配置されて、光アダプタ１０ｃが取付け具７に取り付けられた光アダプタ保持構造を得ることができる。
【００９０】
光アダプタ１０ｃが装着孔９に挿入された状態において、弾性部材４０ｃ（ウィング部４１ａ、４１ｂ）は、凸部１２と取付け具７の間に配置され、凸部１２が弾性部材４０ｃに接触する。この際、凸部１２と弾性部材４０ｃとの接触部において、接触方向とは逆方向に弾性部材４０ｃが反力を受ける。すなわち、弾性部材４０ｃは、光アダプタ１０ｂを取付け具７から遠ざける方向に力を作用させる。
【００９１】
このように、常に凸部１２は弾性部材４０ｃ（ウィング部４１ａ、４１ｂ）により取付け具７から遠ざかる方向に、均等に力が働いているため、光アダプタ１０ｃは、取付け具７に対し垂直な姿勢を維持する。このように、弾性部材４０ｃ（ウィング部４１ａ、４１ｂ）から凸部１２が受ける反力の釣り合う位置で、光アダプタ１０ｃを保持することが可能である。
【００９２】
また、光アダプタ１０ｃが、光アダプタ１０ｃの併設方向に外力を受けると、弾性部材４０ｃ（ウィング部４１ａ、４１ｂ）が変形することで、光アダプタ１０ｃが揺動可能である。より詳細には、光アダプタ１０ｃが揺動する方向に外力を受けた場合には、凸部１２の端部を中心に傾斜し、傾斜中心から遠い側のウィング部４１の撓みが大きくなることで反発力が高まる。また、外力を取り除くとウィング部４１の反発力が均衡にある通常状態（光アダプタ１０ｃの垂直姿勢）へ戻ることができる。
【００９３】
第４の実施形態によれば、第１の実施形態と同様の効果を得ることができる。また、光アダプタ１０ｃは、変形可能な係止片４２を有するため、弾性部材４０ｃが取り付けられた取付け具７の装着孔９に挿入するだけで、光アダプタ１０ｃを取付け具７に取り付けることができる。
【００９４】
（第５の実施形態）
次に、第５の実施形態について説明する。図１０は、第５の実施形態の光アダプタ１０ｄを示す図である。光アダプタ１０ｄは、光アダプタ１０と略同様の構成であるが、揺動機構として弾性部材４０ｄが用いられる点で異なる。取付け具７には、光アダプタ１０ｄの併設方向に対して、装着孔９の対向する縁部近傍に金属製板バネからなる弾性部材４０ｄ（ウィング部４１ａ、４１ｂ）がそれぞれ配置され、取付け具７にねじ等で固定される。
【００９５】
弾性部材４０ｄは、互いに対向する面（すなわちウィング部４１ａ、４１ｂ）を有し、取付け具７に対して、光アダプタ１０ｄの挿入側とは逆側に配置される。なお、弾性部材４０ｄは、取付け具７に対して、光アダプタ１０ｄの挿入側に配置されてもよい。
【００９６】
また、光アダプタ１０ｄの上下面には、凸部１２の方向に向けて、凸部１２から離間した位置に係止片４２が形成される。なお、係止片４２は、光アダプタ１０ａにおけるものと同じ構成である。すなわち、係止片４２が取り付けられた光アダプタ１０ｄを装着孔９に挿入するだけで、凸部１２と係止片４２との間に装着孔９の縁部が配置されて、光アダプタ１０ｄが取付け具７に取り付けられた光アダプタ保持構造を得ることができる。
【００９７】
光アダプタ１０ｄが装着孔９に挿入された状態において、弾性部材４０ｄは、光アダプタ１０ｄの側面と接触する。すなわち、光アダプタ１０ｄの両側面が、弾性部材４０ｄ（ウィング部４１ａ、４１ｂ）で挟まれた状態となる。この状態では、光アダプタ１０ｄの側面と弾性部材４０ｄのそれぞれの接触部において、接触方向とは逆方向に光アダプタ１０ｄが反力を受ける。この際、弾性部材４０ｄ（ウィング部４１ａ、４１ｂ）から、光アダプタ１０ｄが受ける反力の釣り合う位置で光アダプタ１０ｄを保持することが可能である。すなわち、光アダプタ１０ｄに対して、左右から均等に押圧力が働いているため、光アダプタ１０ｄは取付け具７に対し垂直な姿勢を維持することができる。
【００９８】
また、光アダプタ１０ｄが、光アダプタ１０ｄの併設方向に外力を受けると、弾性部材４０ｄ（ウィング部４１ａ、４１ｂ）が変形することで、光アダプタ１０ｄが揺動可能である。より詳細には、光アダプタ１０ｄが揺動する方向に外力を受けた場合には、凸部１２の端部を中心に傾斜し、傾斜中心から遠い側のウィング部４１の撓みが大きくなることで反発力が高まる。また、外力を取り除くとウィング部４１の反発力が均衡にある通常状態（光アダプタ１０ｄの垂直姿勢）へ戻ることができる。
【００９９】
第５の実施形態によれば、第１の実施形態と同様の効果を得ることができる。また、光アダプタ１０ｄは、変形可能な係止片４２を有するため、弾性部材４０ｄが取り付けられた取付け具７の装着孔９に挿入するだけで、光アダプタ１０ｄを取付け具７に取り付けることができる。
【０１００】
なお、前述した第１の実施形態から第５の実施形態において、それぞれの弾性部材は、金属製板バネであったが、これには限定されない。例えば、弾性部材としては、可撓性のあるプラスチック、発泡体、ゴム等から成るものであってもよい。また、弾性部材の形状も板状には限定されず、コイルなどの弾性機能を有するものであっても良い。
【０１０１】
（第６の実施形態）
次に、第６の実施形態について説明する。図１１は、第６の実施形態の光アダプタ１０ｅを示す図である。前述した第１の実施形態から第５の実施形態までは、揺動機構として弾性部材が用いられた例を説明したが、本実施形態では、揺動機構に硬磁性体（磁石）が用いられた光アダプタ保持構造となる。
【０１０２】
光アダプタ１０ｅの上下のそれぞれの凸部１２の前面（取付け具７との対向面側）には、硬磁性体４３が固定される。例えば、フェライトやネオジムなどからなる板状の硬磁性体４３が、接着剤等で凸部１２に固定される。すなわち、硬磁性体４３が、光アダプタ１０ｅの上下に突出するように配置される。なお、光アダプタ１０ｅの本体に凸部１２を設ける必要はなく、硬磁性体４３自体を、凸部としての機能させることができる。したがって、例えば、凸部１２以外の部位に硬磁性体４３を固定してもよく、硬磁性体４３の固定方法は特に限定されない。
【０１０３】
一般的に、光アダプタが取り付けられる取付け具７は、板厚が１．６ｍｍ〜２．０ｍｍ程度の鋼板製である。すなわち、取付け具７は、硬磁性体４３が強固に吸着可能な軟磁性体で構成される。なお、取付け具７が樹脂等で構成される場合には、取付け具７の硬磁性体４３との対向面に、硬磁性体４３と吸着可能なように、軟磁性体や硬磁性体からなる板材を張り付けてもよい。
【０１０４】
光アダプタ１０ｅを装着孔９に挿入すると、硬磁性体４３が取付け具７の表面に吸着する。この際、硬磁性体４３は、光アダプタ１０ｅの上下方向に略垂直に起立し、光アダプタ１０ｅの上下の硬磁性体４３の吸着面は略同一面上に配置される。また、硬磁性体４３は、光アダプタ１０ｅの幅方向に対称に（幅方向の左右に均等となるように）配置される。このため、硬磁性体４３の平坦面と取付け具７の平坦面とが吸着し光アダプタ１０ｅが取付け具７に取り付けられる。なお、光アダプタ１０ｅは、硬磁性体４３と取付け具７との吸着力により抜け止めとなるが、前述した係止片と組わせてもよい。
【０１０５】
このように、光アダプタ１０ｅが装着孔９に挿入された状態において、硬磁性体４３の吸着力によって光アダプタ１０ｅを保持することが可能であるため、通常時には、光アダプタ１０ｅは、磁力による吸着力によって取付け具７に対して略垂直に取付けられ、その姿勢を維持することができる。
【０１０６】
また、光アダプタ１０ｅが、光アダプタ１０ｅの併設方向に対して、硬磁性体４３による吸着力以上の力を受けると、硬磁性体４３の一方の端部が取付け具７から浮き上がり、光アダプタ１０ｅが揺動可能である。より詳細には、光アダプタ１０ｅが揺動する方向に外力を受けた場合には、硬磁性体４３の端部を中心に傾斜し、硬磁性体４３が取付け具７の対向面から離れる。この状態から、外力を取り除くと、硬磁性体４３と軟磁性を有する取付け具７との間には常に吸着磁力が作用しているため、光アダプタ１０ｅを、通常状態（光アダプタ１０ｅの垂直姿勢）へ戻すことができる。
【０１０７】
第６の実施形態によれば、第１の実施形態と同様の効果を得ることができる。このように、弾性部材に代えて硬磁性体４３による吸着力を用いても同様の揺動機構を得ることができる。なお、隣り合う光アダプタ１０ｅ同士が干渉しない範囲であれば、硬磁性体４３は、光アダプタ１０ｅの幅方向の両側面に対して対称となるように配置してもよい。
【０１０８】
（第７の実施形態）
次に、第７の実施形態について説明する。図１２は、第７の実施形態の光アダプタ１０ｆを示す図である。光アダプタ１０ｆは、光アダプタ１０ｅと略同様の構成であるが、硬磁性体４３ａが用いられる点で異なる。光アダプタ１０ｆは、光アダプタ１０ｅと同様に、上下面にそれぞれ硬磁性体４３が設けられる。
【０１０９】
また、光アダプタ１０ｆの上下面には、硬磁性体４３の方向に向けて、硬磁性体４３（すなわち凸部として機能する部位）から離間した位置に係止片４２が形成される。なお、係止片４２は、光アダプタ１０ａ等におけるものと同じ構成である。すなわち、係止片４２が取り付けられた光アダプタ１０ｄを装着孔９に挿入するだけで、硬磁性体４３と係止片４２との間に装着孔９の縁部が配置されて、光アダプタ１０ｆが取付け具７に取り付けられた光アダプタ保持構造を得ることができる。
【０１１０】
また、光アダプタ１０ｆと取付け具７の互いに対向する部位には、硬磁性体４３ａが配置される。この際、光アダプタ１０ｆと取付け具７との対向位置にそれぞれ配置される硬磁性体４３、４３ａは、互いに同極同士が対向するように固定される。すなわち、硬磁性体４３と硬磁性体４３ａが互いに反発しあう。なお、取付け具７が軟磁性体である場合には、硬磁性体４３ａは、取付け具７に対して磁力によって取り付けられる。
【０１１１】
ここで、硬磁性体４３は、光アダプタ１０ｅの幅方向に対称となるように配置される。また、硬磁性体４３と硬磁性体４３ａとの反発力は、光アダプタ１０ａの幅方向に対して略均等となるように硬磁性体４３ａ等のサイズ及び位置が設定される。係止片４２が取付け具７を通過するまで光アダプタ１０ｆを装着孔９に挿入すると、硬磁性体４３、４３ａ同士の反発力によって、光アダプタ１０ｆには、装着孔９から抜ける方向へ力がかかる。
【０１１２】
この際、係止片４２によって、装着孔９からの光アダプタ１０ｆの抜けが防止されるとともに、光アダプタ１０ｆは、幅方向に均等に付与される硬磁性体４３と硬磁性体４３ａとの反発力が釣り合う位置で保持される。すなわち、光アダプタ１０ｆｇが装着孔９に挿入された状態において、硬磁性体４３と硬磁性体４３ａとの間には所定のクリアランスが形成され、硬磁性体４３、４３ａ同士の反発力が釣り合う位置で光アダプタ１０ｆを保持することで、光アダプタ１０ｆが取付け具７に対して略垂直な姿勢を維持することが可能である。
【０１１３】
光アダプタ１０ｆが、光アダプタ１０ｆの併設方向に対して力を受けると、硬磁性体４３と硬磁性体４３ａの一部が近づくことで、光アダプタ１０ｆが揺動可能である。より詳細には、光アダプタ１０ｆが揺動する方向に外力を受けた場合には、係止片４２と取付け具７の接点を中心に傾斜し、光アダプタ１０ｆの幅方向の一方の側において、硬磁性体４３と硬磁性体４３ａとが近づくように傾斜する。この際、硬磁性体４３、４３ａ間の離隔距離が短くなった側の反発磁力によるモーメントは大きくなり、硬磁性体４３、４３ａ間の離隔距離が長くなった側の反発磁力によるモーメントは小さくなる。このため、常に光アダプタ１０ｆには、元との状態に戻ろうとする力がかかる。このため、外力を取り除くと、光アダプタ１０ｆを、通常状態（光アダプタ１０ｆの垂直姿勢）へ戻すことができる。
【０１１４】
第７の実施形態によれば、第１の実施形態と同様の効果を得ることができる。このように、硬磁性体４３、４３ａの反発力を用いても同様の揺動機構を得ることができる。なお、隣り合う光アダプタ１０ｅ同士が干渉しない範囲であれば、硬磁性体４３、４３ａは、光アダプタ１０ｅの幅方向の両側面に対して対称となるように配置してもよい。
【０１１５】
（第８の実施形態）
次に、第８の実施形態について説明する。図１３は、第８の実施形態の光アダプタ１０ｇを示す図である。光アダプタ１０ｇは、光アダプタ１０ｅと略同様の構成であるが、光アダプタ１０ｇに被着体４４が設けられる点で異なる。光アダプタ１０ｇには、上下面（すなわち、光アダプタ本体の互いに対向する両面）にそれぞれ被着体４４が設けられる。被着体４４は、バネ性と軟磁性の両特性を有し、例えば鋼製である。また、被着体４４の厚みは、硬磁性体４３と被着体４４との間に着脱を発生させるのに必要な程度であればよく、取付け具７の板厚の約半分以下程度のＳＫ鋼材などで構成される。なお、被着体４４は、光アダプタ１０ｇの上下に突出するように配置されるため、光アダプタ１０ｇの本体に凸部１２を設ける必要はなく、被着体４４自体を、凸部としての機能させることができる。
【０１１６】
また、光アダプタ１０ｇの上下面には、被着体４４の方向に向けて、被着体４４（すなわち凸部として機能する部位）から離間した位置に係止片４２が形成される。なお、係止片４２は、光アダプタ１０ａ等におけるものと同じ構成である。すなわち、係止片４２が取り付けられた光アダプタ１０ｇを装着孔９に挿入するだけで、被着体４４と係止片４２との間に装着孔９の縁部が配置されて、光アダプタ１０ｇが取付け具７に取り付けられた光アダプタ保持構造を得ることができる。なお、係止片４２と被着体４４は、金属板によって一体で構成することができる。
【０１１７】
取付け具７の、被着体４４に対向する部位には、硬磁性体４３が固定される。前述したように、硬磁性体４３は、軟磁性体からなる取付け具７に対して磁力によって取り付けられる。前述したように、本実施形態では、硬磁性体４３と対向する光アダプタ１０ｇの凸部は、硬磁性体４３と吸着可能な被着体４４で構成される。この際、被着体４４の厚みは取付け具７の厚みよりも十分に薄いため、硬磁性体４３と被着体４４との吸着力は、硬磁性体４３と取付け具７との吸着力よりも弱い。
【０１１８】
光アダプタ１０ｇを、係止片４２が取付け具７を通過するまで装着孔９に挿入すると、被着体４４と硬磁性体４３とが吸着する。この際、被着体４４は、光アダプタ１０ｇの上下方向に略垂直に起立し、光アダプタ１０ｇの上下の被着体４４の吸着面は略同一面上に配置される。また、被着体４４は、光アダプタ１０ｇの幅方向に対称に（幅方向の左右に均等となるように）配置される。このため、硬磁性体４３の平坦面と被着体４４の平坦面とが吸着し光アダプタ１０ｇが取付け具７に取り付けられる。なお、光アダプタ１０ｇは、硬磁性体４３と被着体４４との吸着力により抜け止めとなるため、前述した係止片を省略してもよい。
【０１１９】
このように、光アダプタ１０ｇが装着孔９に挿入された状態において、硬磁性体４３の吸着力によって光アダプタ１０ｇを保持することが可能である。このため、通常時には、光アダプタ１０ｇは、磁力による吸着力によって取付け具７に対して略垂直に取付けられ、その姿勢を維持することができる。
【０１２０】
また、光アダプタ１０ｇが、光アダプタ１０ｇの併設方向に対して、硬磁性体４３による吸着力以上の力を受けると、被着体４４の一方の端部が硬磁性体４３から浮き上がり、光アダプタ１０ｇが揺動可能である。より詳細には、光アダプタ１０ｇが揺動する方向に外力を受けた場合には、被着体４４の端部を中心に傾斜し、被着体４４が硬磁性体４３の対向面から離れる。この状態から、外力を取り除くと、硬磁性体４３と被着体４４との間には常に吸着磁力が作用しているため、光アダプタ１０ｇを、通常状態（光アダプタ１０ｇの垂直姿勢）へ戻すことができる。
【０１２１】
第８の実施形態によれば、第６の実施形態と同様の効果を得ることができる。このように、硬磁性体４３は、光アダプタと取付け具７の少なくとも一方に固定されればよく、光アダプタ又は取付け具の硬磁性体と対向する他方の部位を、当該硬磁性体と吸着可能な硬磁性体又は軟磁性体で構成すればよい。
【０１２２】
（第９の実施形態）
次に、第９の実施形態について説明する。図１４は、第９の実施形態の光アダプタ１０ｈを示す図である。光アダプタ１０ｈは、光アダプタ１０ｇと略同様の構成であるが、被着体４４の形状が異なる。被着体４４は、幅方向の両端部が係止片４２（硬磁性体４３）から離れる方向に折り曲げられている。すなわち、被着体４４の幅方向中央部は略平坦に、硬磁性体４３に略平行に形成され、幅方向の両端部は、折り曲げ部４５において、斜め後方に向けて屈曲（又は湾曲）する。なお、折り曲げ部４５の折り曲げ角度は、光アダプタ１０ｈの許容最大揺動角度とする。
【０１２３】
前述したように、光アダプタ１０ｈを取付け具７に取付けた状態においては、硬磁性体４３と被着体４４（の略中央の平坦部）とが吸着して、光アダプタ１０ｈの略垂直姿勢が保持される。この際、係止片４２と取付け具７との間には、光アダプタ１０ｈの揺動が可能なように、所定のクリアランスが形成される。
【０１２４】
この状態から、光アダプタ１０ｈの係止片４２側（図中手前側）より光コネクタを挿入する場合には、光コネクタの挿入時にかかる力によって、光アダプタ１０ｈは、後方（図中奥側）に力が付与される。この際、硬磁性体４３と被着体４４（の略中央の互いに略平行な被着面）との吸着力よりも光コネクタの挿入力（挿入抵抗）が大きくなると、光コネクタが完全に光アダプタ１０ｈに挿入されるよりも前に、硬磁性体４３と被着体４４との離脱が発生する。
【０１２５】
例えば、一般的な、光コネクタの光アダプタへの篏合に必要な挿入力である７〜９Ｎに対して、硬磁性体４３と被着体４４（の略中央の互いに略平行な被着面）との吸着力が小さいと、硬磁性体４３と被着体４４とが離脱する。この場合でも、係止片４２によって、光アダプタ１０ｈが取付け具７より抜けることはないが、作業者は、この硬磁性体４３と被着体４４との離脱時の感触を、光コネクタと光アダプタ１０ｈとの篏合感触と間違えるおそれがある。例えば、光コネクタが完全に光アダプタ１０ｈに篏合する前に、光コネクタの挿入をやめてしまう結果、いわゆるコネクタの半挿し状態を引き起こす可能性がある。
【０１２６】
それを防止するには、硬磁性体４３と被着体４４との磁力による吸着力を、光アダプタへ光コネクタを篏合するのに必要な挿入力である７〜９Ｎより高くする方法がある。しかし、単に硬磁性体４３の磁力を高めたり、被着体４４の板厚を厚くしたり、吸着面積を大きくする等の方法では、光アダプタを揺動させるに必要なモーメントも、両者の吸着力に比例し増加する。特に、高密度に実装した任意の光アダプタに対して光コネクタの挿抜を行う時には、隣接する光アダプタを揺動させて指の挿抜空間を作る必要があるが、揺動に必要な力が大きくなることで、この操作性が悪化する。したがって、硬磁性体４３と被着体４４の被着面との吸着力を７〜９Ｎ以上にしつつも、揺動開始に必要なモーメントは、容易に光アダプタを揺動可能な０．０５Ｎ・ｍ以下にすることが望まれる。
【０１２７】
そこで、光アダプタ１０ｈでは、被着体４４に折り曲げ部４５を設け、被着体４４の形状を最適とすることで、例えば、硬磁性体４３として、表面磁束密度の高いネオジム磁石を使用し、吸着力を７〜９Ｎ以上としても、揺動開始モーメントを０．０５Ｎ・ｍ以下にすることが可能である。以下、実施例において詳細に説明する。
【実施例】
【０１２８】
硬磁性体と被着体との吸着力と、光アダプタ揺動開始モーメントの関係について、被着体の形状を変えて評価した。図１５には、被着体の各部寸法を示す。被着体としては、厚みｔが０．７ｍｍ、高さＨが５ｍｍ、全幅（Ｗ１＋２×Ｗ２）が１３ｍｍのＳＫ５製の板材を用いた。この板材を図１５に示すように折り曲げて（折り曲げ角度θ＝２０度）、折り曲げ部の幅をそれぞれＷ２とした。すなわち、被着体の硬磁性体と正対する部位（中央の平坦部）の幅Ｗ１は、１３−２×Ｗ２（ｍｍ）とした。
【０１２９】
硬磁性体としては、表面磁束密度が３１０ｍＴと１５０ｍＴの同じ面積を有するネオジム磁石を用いた。被着体が取り付けられた光アダプタ（図１４に示す光アダプタ１０ｈ）を取付け具に取りつけ、光アダプタに対して幅方向に外力を付し、硬磁性体と被着体とが離脱する際の限界吸着力と、アダプタの揺動開始モーメントを評価した。結果を図１６に示す。なお、図中Ｅは、表面磁束密度が１５０ｍＴの硬磁性体を用いた結果であり、図中Ｆは、表面磁束密度が３１０ｍＴの硬磁性体を用いた結果である。また、Ｗ２＝０ｍｍとは、折り曲げ部を形成しなかった場合（図１３に示す光アダプタ１０ｇ）のものである。
【０１３０】
結果より、表面磁束密度が３１０ｍＴの硬磁性体を用い、Ｗ２＝３ｍｍ、４ｍｍと、折り曲げ部を幅の中心に近づけた際に、吸着力が７〜９Ｎ以上、かつ揺動開始モーメントが０．０５Ｎ・ｍ以下にすることが可能であることがわかった。このように、折り曲げ部を形成することで、吸着力と揺動開始モーメントとの両立を図ることができる。
【０１３１】
次に、上述した各揺動機構を用いた応用例について説明する。まず、図１４に示す光アダプタを取付け具に装着し、光アダプタへ光コネクタ付きコードを取り付けた。この状態で、光コネクタ付きコードの光コネクタ部から後方１５ｃｍ位の位置で、光アダプタの揺動可能な方向へコードを引っ張ると、光コードは徐々に曲げ半径が小さくなるように曲げられる。ある程度の力で光コードを引っ張ると、光アダプタが揺動する。すなわち、硬磁性体と被着体の対向面が離脱する。この際の、光コネクタ後方で発生するコードの曲率半径を測定した。すなわち、光アダプタに光コネクタ付きコードを挿入し、光コードを光アダプタの光軸方向に垂直な方向（すなわち、光アダプタの揺動方向）に力をかけた際における、光コードの曲げ半径について評価した。
【０１３２】
図１７は、光コードの曲げ半径と、光アダプタへかかるモーメントとの関係を示す図である。図中Ｇは、１．５φの光コードであり、図中Ｈは、２．０φの光コードを示す。一般的に使用される光コネクタ付きコードの許容曲率半径は、１５ｍｍないし３０ｍｍである。結果より、１．５φの光コードについて、光アダプタに発生したモーメントは、光コードの曲げ半径が３０ｍｍの場合には約０．０１２Ｎ・ｍであり、光コードの曲げ半径が１５ｍｍの場合には約０．０２Ｎ・ｍであった。また、２．０φの光コードについて、光アダプタに発生したモーメントは、光コードの曲げ半径が３０ｍｍの場合には約０．０２Ｎ・ｍであり、光コードの曲げ半径が１５ｍｍの場合には約０．０３８Ｎ・ｍであった。
【０１３３】
この結果より、例えば、光アダプタの揺動開始モーメントを０．０２Ｎ・ｍに設定しておくことで、光アダプタが揺動しているかどうかを見るだけで、光コードの曲げ半径が１５ｍｍ以上であることを確認することができる。このように、従来は、光コネクタ後方の光コードの曲げ部が、それぞれ許容曲率半径以上を確保できているか１本ずつ確認しなければならなかったが、光アダプタの傾斜の有無を確認するだけで、光コードの曲げ半径が所定以上であることを確認することができる。
【０１３４】
すなわち、本実施例の光アダプタ保持構造に対して接続された光ケーブルの曲げ半径の確認方法は、まず、光アダプタに接続された光ケーブルに対して力を加えた際の、光アダプタにかかるモーメントと、光ケーブルの曲げ半径との関係をあらかじめ取得しておく。また、揺動機構の揺動開始モーメントをあらかじめ確認する。光コネクタを光アダプタに接続した際に、全ての光アダプタが揺動しておらずに、通常状態を維持していることを確認することで、光アダプタにかかるモーメントが、揺動開始モーメント以下であることを確認することができる。このため、光アダプタにかかるモーメントが所定以下であることから、光ケーブルの曲げ半径が所定以上であることを知ることができる。
【０１３５】
このように、本方法によれば、隣接する光アダプタとの平行具合を確認するだけで、容易に光コードの配線状態の善し悪しが判別可能となる。また、仮に光コードの許容曲率半径を下回るような配線をしてしまった場合でも、光アダプタ、コードの曲率半径を緩和する方向へ揺動可能であるため、光学的影響を軽減することができる。
【０１３６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１３７】
例えば、それぞれの光アダプタごとに揺動機構を形成するのではなく、複数の光アダプタを一括して揺動させてもよい。図１８は、複数の光アダプタ１０ｉが、揺動方向と直交する方向へ一列に並べられ、一括に取り扱える様にした構成を示す図である。
【０１３８】
図１８において、揺動機構は、図１４と同様に、折り曲げ部４５を有する被着体４４と硬磁性体４３を用いた例を示す。図示した例では、複数の光アダプタ１０ｉを連結する連結部材は金属製であり、係止片４２、被着体４４等が連結部材と一体で構成される。なお、この場合でも、揺動方向に隣り合う光アダプタ同士は、個々に揺動可能である。このように、複数の光アダプタを揺動方向と垂直な方向に連結して、一括して揺動するようにしてもよい。なお、このように複数の光アダプタを一括して揺動させる揺動機構としては、前述したいずれの実施形態にかかる揺動機構も適用可能である。
【符号の説明】
【０１３９】
１：  ラック
２：  フレーム
３：  光パッチパネル
４：  マウント部
５：  外線ケーブル固定部
６：  光ファイバ接続トレイ
７：  取付け具
８：  コード受けトレイ
９：  装着孔
１０、１０ａ、１０ｂ、１０ｃ、１０ｄ、１０ｅ、１０ｆ、１０ｇ、１０ｈ：光アダプタ
１２：凸部
２０：外線ケーブル
２１：ケーブルシース
２２：光ファイバ心線
２４：光コネクタ付き変換コード
２５：光コネクタ付き局内コード
２７：外線側光コネクタ
２８：局内側光コネクタ
４０、４０ａ、４０ｂ、４０ｃ、４０ｄ：弾性部材
４１、４１ａ、４１ｂ：ウィング部
４２：係止片
４３、４３ａ：硬磁性体
４４：被着体
４５：折り曲げ部
１００：光アダプタ
１０１：支持棒
１０５：光コネクタ
１０６：スプリングコイル
１０７：光アダプタ取付け具
【要約】
【課題】  小型であって作業性にも優れた光アダプタ保持構造等を提供する。
【解決手段】  取付け具７には、複数の装着孔９が併設される。それぞれの装着孔９には、光アダプタ１０が装着される。この際、光アダプタ１０と取付け具との保持構造には、取付け具７に対して、光アダプタ１０を揺動させることが可能な揺動機構が設けられる。揺動機構は、任意の光アダプタ１０に対して、所定以上の力が加わると、当該光アダプタ１０の当該方向への揺動を許容し、力が除荷されると、取付け具７に対して略垂直な方向に光アダプタ１０を保持することを可能とするものである。
【選択図】図１【図１】
0006979507.tif 000002
【図２】
0006979507.tif 000003
【図３】
0006979507.tif 000004
【図４】
0006979507.tif 000005
【図５】
0006979507.tif 000006
【図６】
0006979507.tif 000007
【図７】
0006979507.tif 000008
【図８】
0006979507.tif 000009
【図９】
0006979507.tif 000010
【図１０】
0006979507.tif 000011
【図１１】
0006979507.tif 000012
【図１２】
0006979507.tif 000013
【図１３】
0006979507.tif 000014
【図１４】
0006979507.tif 000015
【図１５】
0006979507.tif 000016
【図１６】
0006979507.tif 000017
【図１７】
0006979507.tif 000018
【図１８】
0006979507.tif 000019
【図１９】
0006979507.tif 000020
【図２０】
0006979507.tif 000021